(57)【特許請求の範囲】
【請求項１】
敷物へ薬剤を噴霧する装置であって、
薬剤を収容する薬剤タンクを備えた装置本体と、前記装置本体に取り付けられた薬剤噴霧部とを備えており、
前記薬剤噴霧部が、前記薬剤タンクからの薬剤を敷物に噴霧する先端部が略Ｌ字状に折れ曲がる複数のスプレーノズルと、前記スプレーノズルの先端が前記敷物内部に食い込むように押圧する押圧部とを有しており、
前記複数のスプレーノズルが間隔をおいて並設されており、敷物表面の密度の高低に応じて前記複数のスプレーノズル相互の間隔を拡開閉塞動させるようにしたことを特徴とする薬剤噴霧装置。
【請求項２】
薬剤噴霧部が、複数のスプレーノズルを支持するノズル支持部を備えており、前記ノズル支持部が、複数のスプレーノズルの基端部を回動可能に支持する基端部支持部と、前記複数のスプレーノズルが貫通し、その先端が放射状に拡がるようにガイドする多数のガイド孔を有するガイド部とからなり、前記ガイド部を前記複数のスプレーノズルに沿って前記基端部支持部に接近離間させることで、前記複数のスプレーノズルの先端相互の間隔を拡開閉塞動させるようにしたことを特徴とする請求項１に記載の薬剤噴霧装置。
【請求項３】
押圧部が、敷物表面の密度の高低に応じて荷重を増減して荷重調整が可能に設けられており、該押圧部によって荷重調整された荷重がスプレーノズルの先端に付加され、その先端が前記敷物内部に食い込むように押圧されることを特徴とする請求項１に記載の薬剤噴霧装置。
【請求項４】
薬剤噴霧部が、敷物の薬剤が噴霧される部分を覆うカバーを備えていることを特徴とする請求項１〜３のいずれかに記載の薬剤噴霧装置。
【請求項５】
薬剤噴霧部が、装置本体側に折り畳み可能に取り付けられていることを特徴とする請求項１〜４のいずれかに記載の薬剤噴霧装置。
【請求項６】
装置本体に車輪を取り付けて走行可能としたことを特徴とする請求項１〜５のいずれかに記載の薬剤噴霧装置。
【請求項７】
敷物へ噴霧する薬剤が、感温点が１０〜４５℃である感温吸排水性ポリマーを含む吸排水性溶媒液と、下記化学式１で表されるフタロシアニン化合物を含む抗菌消臭溶媒液とからなることを特徴とする請求項１〜６のいずれかに記載の薬剤噴霧装置。
【化１】
0005730623.tif 000004
【請求項８】
感温点が１０〜４５℃である感温吸排水性ポリマーを含む吸排水性溶媒液と、フタロシアニン化合物を含む抗菌消臭溶媒液とが、それぞれ別々の薬剤タンクに収容されており、前記各薬剤タンクから前記吸排水性溶媒液及び吸排水性溶媒液が混合状態で複数のフレキシブルチューブを介してスプレーノズルへと圧送されるようにしたことを特徴とする請求項７に記載の薬剤噴霧装置。
【発明の詳細な説明】
【技術分野】
【０００１】
本発明は、例えばホテルや劇場などの公共施設の室内や廊下の床面、或いは自動車や列車、航空機などの乗り物の床面に敷設された敷物に薬剤を噴霧する薬剤噴霧装置に関する。詳細には敷物の内部にまで薬剤を行き渡らせることができる薬剤噴霧装置に関する。
【背景技術】
【０００２】
従来、例えばホテルや劇場などの公共施設の室内や廊下の床面、或いは自動車や列車、航空機などの乗り物の床面に敷設される敷物は、多くの利用者が利用するために汚れやすく、また雨天時には濡れやすいことから、撥水防汚加工が施されたカーペットが多く使用されている（例えば特許文献１参照）。
【０００３】
また、公共施設の室内や廊下の床面、或いは自動車や列車、航空機などの乗り物の床面に敷設される敷物は、食物や飲物を溢したり、利用者が嘔吐したりすることも多いことから、これらを想定して上記機能に加えて抗菌、防ダニ、防かび等機能を付与したカーペットも多用されている（例えば特許文献２参照）。
【０００４】
ところが、これら多種の機能が付与された敷物であっても、公共施設や乗り物に敷かれる敷物の場合、使用頻度が高いことから、数ヶ月から半年程でその性能が損なわれてしまうので、上記機能の再付与はできないものの、敷物のクリーニングを数ヶ月から半年毎に行う必要があった。また、数年毎には新しい敷物に換える必要もあった。
【０００５】
ホテルなどの公共施設に敷かれる敷物の多くは高価でありしかもはその敷設面積が大きく、乗り物に敷かれる敷物の場合には、床面に固定されているため、新しい敷物に換える場合、多くの費用と時間を必要とすることから、頻繁に新しい敷物に採り換えることはできず、敷設されてある場所でのクリーニングとなる。この場合、スチームを用いたクリーニング方法が多く利用されている（例えば特許文献３参照）。
【０００６】
従来は、一旦、クリーニングが終了すると、次のメンテナンスの時期までそのままで置かれるため、それまでの間に水分を吸収した敷物は、細菌の温床となり、これに伴う悪臭の発生も問題となっていた。特に嘔吐などによる敷物の汚れは、悪臭や見栄えが悪くなるだけではなく、大腸菌、緑濃菌、Ｏ−１５７などの細菌の二次感染という問題もあり、頻繁にクリーニングを行うことができない公共施設や乗り物に敷かれる敷物では、大きな問題となっていた。
【０００７】
このような事情から、クリーニング後の敷物に撥水剤や抗菌剤などの薬剤を噴霧して再機能化するという手段も講じられている。この場合、敷物上面から単に薬剤をスプレー散布するという方法以外、特に効果的な方法は提案されていないのが現状であった。
【先行技術文献】
【特許文献】
【０００８】
【特許文献１】特開２０００−１２９５７２号
【特許文献２】特開２００２−３４８７７０号
【特許文献３】特開２００２−２１０４２０号
【発明の概要】
【発明が解決しようとする課題】
【０００９】
ところが、床面に敷設した敷物を床面から取り外さないで、床面に敷設したままで撥水剤や抗菌剤などの薬剤を噴霧しようとする場合に、敷物上面から単に薬剤をスプレー散布しただけでは、敷物表面がパイル等の表面材で高密度に覆われていることから、敷物内部にまで薬剤を行き渡らせることができないという不具合が生じることになる。
【００１０】
大腸菌、緑濃菌、Ｏ−１５７などの細菌の繁殖や悪臭の発生は、敷物表面よりも水分が保持されやすく、薬剤が行き届き難い敷物内部で起き易いことから、長期間に亘って薬剤の機能を確実に発揮させるためには、薬剤を敷物内部に行き渡らせる必要がある。
【００１１】
本発明は、このような技術的課題に鑑みなされたものであり、床面に敷設した敷物を床面から取り外さないで、床面に敷設したままで撥水剤や抗菌剤などの薬剤を噴霧しようとする場合において、敷物の内部にまで薬剤を行き渡らせることができ、薬剤の機能が敷物において効果的にしかも長期間に亘って発揮されるようにすることができる薬剤噴霧装置を提供することを目的とするものである。
【課題を解決するための手段】
【００１２】
（削除）
【００１３】
上記目的を達成するため、請求項１に記載の発明は、敷物へ薬剤を噴霧する装置であって、
薬剤を収容する薬剤タンクを備えた装置本体と、前記装置本体に取り付けられた薬剤噴霧部とを備えており、
前記薬剤噴霧部が、前記薬剤タンクからの薬剤を敷物に噴霧する先端部が略Ｌ字状に折れ曲がる複数のスプレーノズルと、前記スプレーノズルの先端が前記敷物内部に食い込むように押圧する押圧部とを有しており、
前記複数のスプレーノズルが間隔をおいて並設されており、敷物表面の密度の高低に応じて前記複数のスプレーノズル相互の間隔を拡開閉塞動させるようにしたことを特徴とする薬剤噴霧装置をその要旨とした。
【００１４】
請求項２に記載の発明は、薬剤噴霧部が、複数のスプレーノズルを支持するノズル支持部を備えており、前記ノズル支持部が、複数のスプレーノズルの基端部を回動可能に支持する基端部支持部と、前記複数のスプレーノズルが貫通し、その先端が放射状に拡がるようにガイドする多数のガイド孔を有するガイド部とからなり、前記ガイド部を前記複数のスプレーノズルに沿って前記基端部支持部に接近離間させることで、前記複数のスプレーノズルの先端相互の間隔を拡開閉塞動させるようにしたことを特徴とする請求項１に記載の薬剤噴霧装置をその要旨とした。
【００１５】
請求項３に記載の発明は、押圧部が、敷物表面の密度の高低に応じて荷重を増減して荷重調整が可能に設けられており、該押圧部によって荷重調整された荷重がスプレーノズルの先端に付加され、その先端が前記敷物内部に食い込むように押圧されることを特徴とする請求項１に記載の薬剤噴霧装置をその要旨とした。
【００１６】
請求項４に記載の発明は、薬剤噴霧部が、敷物の薬剤が噴霧される部分を覆うカバーを備えていることを特徴とする請求項１〜３のいずれかに記載の薬剤噴霧装置をその要旨とした。
【００１７】
請求項５に記載の発明は、薬剤噴霧部が、装置本体側に折り畳み可能に取り付けられていることを特徴とする請求項１〜４のいずれかに記載の薬剤噴霧装置をその要旨とした。
【００１８】
請求項６に記載の発明は、装置本体に車輪を取り付けて走行可能としたことを特徴とする請求項１〜５のいずれかに記載の薬剤噴霧装置をその要旨とした。
【００１９】
請求項７に記載の発明は、敷物へ噴霧する薬剤が、感温点が１０〜４５℃である感温吸排水性ポリマーを含む吸排水性溶媒液と、下記化学式１で表されるフタロシアニン化合物を含む抗菌消臭溶媒液とからなることを特徴とする請求項１〜６のいずれかに記載の薬剤噴霧装置をその要旨とした。
【化１】
0005730623.tif 000002
【００２０】
請求項８に記載の発明は、感温点が１０〜４５℃である感温吸排水性ポリマーを含む吸排水性溶媒液と、フタロシアニン化合物を含む抗菌消臭溶媒液とが、それぞれ別々の薬剤タンクに収容されており、前記各薬剤タンクから前記吸排水性溶媒液及び吸排水性溶媒液が混合状態で複数のフレキシブルチューブを介してスプレーノズルへと圧送されるようにしたことを特徴とする請求項７に記載の薬剤噴霧装置をその要旨とした。
【発明の効果】
【００２１】
本発明の薬剤噴霧装置にあっては、薬剤を収容する薬剤タンクを備えた装置本体と前記装置本体に取り付けられた薬剤噴霧部とを備えており、前記薬剤噴霧部が、前記薬剤タンクからの薬剤を敷物に噴霧するスプレーノズルと、前記スプレーノズルの先端が前記敷物内部に食い込むように押圧する押圧部とを有していることから、薬剤タンク内からの薬剤が敷物の内部で噴霧されることになり、この結果、該薬剤を敷物内部にまで行き渡らせることができ、薬剤の機能が敷物において効果的にしかも長期間に亘って発揮されるようにすることができる。
【００２２】
敷物の表面にはパイルが所望の密度で打ち込まれており、その密度は用途や使用状態に応じて様々に異なっており、その密度の高低により、スプレーノズルの先端を敷物の内部に食い込ませて薬剤を噴霧したときに、該薬剤の敷物内部への行き渡り易さも相違することになる。すなわち敷物の表面密度が高ければ、該薬剤は敷物内部へ行き渡り難く、敷物の表面密度が低ければ、行き渡り易くなるのである。
【００２３】
本発明の薬剤噴霧装置における押圧部は、敷物の表面密度に応じて荷重を増減して荷重調整が可能とする態様を採ることができ、この場合、該押圧部によって荷重調整された荷重がスプレーノズルの先端に付加され、その先端が前記敷物内部に食い込むように押圧されるので、該薬剤を確実に敷物内部に行き渡らせることができる。
【００２４】
また本発明の薬剤噴霧装置にあっては、薬剤タンクからの薬剤を敷物に噴霧する先端部が略Ｌ字状に折れ曲がる複数のスプレーノズルを有しており、前記複数のスプレーノズルが間隔をおいて並設されており、敷物表面の密度の高低に応じて前記複数のスプレーノズル相互の間隔を拡開閉塞動できるようになっている。このため、敷物の表面の密度に応じて、高密度の場合はスプレーノズル相互の間隔を狭くし、密度の場合はスプレーノズル相互の間隔を広くするなど、敷物表面の密度の高低に応じてスプレーノズル相互の間隔を調整することができ、より効率的な薬剤の噴霧を実現することができる。
【図面の簡単な説明】
【００２５】
【図１】本発明の薬剤噴霧装置の一例を示し、該薬剤噴霧装置の複数のスプレーノズルの先端部相互の間隔を狭めた状態を示す斜視図。
【図２】本発明の薬剤噴霧装置において、複数のスプレーノズルの先端部を放射状に拡げた状態を示す斜視図。
【図３】同じく図１に示す装置を示す側面図。
【図４】同じく図１に示す装置の薬剤噴霧部を装置本体側に折り畳んだ状態を示す側面図。
【図５】本発明の薬剤噴霧装置の使用状態を示す拡大側面図。
【発明を実施するための形態】
【００２６】
以下、本発明の薬剤噴霧装置（以下、単に装置という）を図面に従ってさらに詳しく説明する。本発明の装置により薬剤を噴霧する敷物としては特に限定されないが、例えばホテルや劇場などの公共施設の室内や廊下の床面、或いは自動車や列車、航空機などの乗り物の床面に敷設された敷物がより好ましい。公共施設の室内や廊下の床面に敷設される敷物の場合、その多くは高価であり、しかもその敷設面積は大きく、頻繁に取り外してクレーニングしたり、新しい敷物に採り換えることができないからである。乗り物に敷かれる敷物の場合には、床面に固定されているため、取り外したり、新しい敷物に換える場合、多くの費用と時間を必要とすることからである。
【００２７】
図１〜図５に示す装置１０は、装置本体と薬剤噴霧部とを備えている。装置本体１１は柱状をなし、その上部にハンドル１３が設けられ、該装置本体１１の長さ方向ほぼ中央には薬剤を収容する薬剤タンク１４がバンド等１１ａで取り外し可能に取り付けられる。装置本体１１の下部には一対の回転軸１１ｂが設けられ、各回転軸１１ｂには車輪１２を取り付けられており、装置本体１１上部のハンドル１３を握って操作することで、該装置本体１１を前後左右に走行させることができるようになっている。
【００２８】
また装置本体１１は、薬剤タンク１４内の薬剤を後述する複数のスプレーノズル１５へと圧送する空気圧ポンプ（図示しない）とを備えている。薬剤タンク１４の下部には、空気圧ポンプ（図示しない）からの圧縮空気と混合して薬剤を霧状にして圧送する混合部１４ｃが設けられており、この混合部１４ｃには複数のフレキシブルチューブ１６が取り付けられ、これら複数のフレキシブルチューブ１６を介して複数のスプレーノズル１５へと薬剤が圧送されるようになっている。
【００２９】
また、フレキシブルチューブ１６の端部に繋がる薬剤タンク１４の混合部１４ｃにはバルブ（図示しない）が配されており、前記バルブ（図示しない）の開閉操作を行う操作レバー１７が装置本体１１を操作するハンドル１３に設けられており、作業者は、ハンドル１３を操作して該装置本体１１を前後左右に走行させると共に、ハンドル１３に設けたレバー１７を操作することで、ワイヤ１７ａを介してバルブ（図示しない）の開閉操作を行うことで薬剤の噴霧の開始、停止を手元で操作できるようになっている。
【００３０】
薬剤噴霧部は、薬剤を敷物に噴霧する複数のスプレーノズル１５と、前記各スプレーノズル１５の先端が前記敷物Ｃ内部に食い込むように押圧する押圧部１８とを有している。複数のスプレーノズル１５の先端部１５ａは略Ｌ字状に折れ曲がり、その先端１５ｃは針状をなしており、前記装置本体１１下部に設けたノズル支持部１９によって支持されるようになっている。図１〜図５に示す装置１０の場合、装置本体１１に設けたノズル支持部１９は、基端部支持部２０とガイド部２１とからなり、基端部支持部２０は、ヒンジ２０ｃを介して折り畳み可能に設けた２枚の板からなる支持板２０ａを有し、装置本体１１側の一枚が装置本体１１下部に取り付けられ、ヒンジ２０ｃを介して反対側の板には、前記複数のスプレーノズル１５の基端部を回動可能に支持する３つの回動支持部２０ｂが設けられている。
【００３１】
また、支持板２０ａのヒンジ２０ｃを介して装置本体１１の反対側の板には、くの字状に折れ曲がる回動アーム２２の一端が回動可能に取り付けられており、回動アーム２２の他端が装置本体１１下部に回動可能に取り付けられている。そして、作業時にはこの回動アーム２２が回動支持部２０ｂを支え、作業終了後には、図４に示すように、前記回動支持板２０ａをヒンジ２０ｃを介して折り畳んで、支持板２０ａの装置本体１１の反対側の板を上方に回動させることで、前記回動アーム２２がくの字状に折れ曲がり、回動支持部２０ｂに支持される複数のスプレーノズル１５がガイド部２１と共に装置本体１１側に折り畳まれるようになっている。
【００３２】
ガイド部２１は、前記複数のスプレーノズル１５が貫通し、略L字状をなす先端部１５ａが放射状に拡がるようにガイドする多数のガイド孔２１ａを有しており、このガイド部２１を前記複数のスプレーノズル１５に沿って前記回動支持部２０ｂに接近離間させることで、図１及び図２に示すように前記複数のスプレーノズル１５の先端部１５ａ相互の間隔が拡開閉塞動するようになっている。
【００３３】
回動支持部２０ｂには、長孔２３を有する３つの支持アーム２４がガイド部２１に向かって延設されている。前記ガイド部２１の上面にはねじ穴（図示しない）が設けられており、支持アーム２４の長孔２３内の所望の位置でボルトネジ２５を挿入し、ガイド部２１のねじ穴（図示しない）にネジ止めすることで、回動支持部２０ｂとガイド部２１の間隔が固定され、ガイド部２１の多数の孔２１ａを貫通する複数のスプレーノズル１５の略L字状をなす先端部１５ａ相互の間隔が所望の間隔に固定されるようになっている。尚、支持アーム２４の数は３つに限らず、１つでも２つでも４つ以上でも良い。
【００３４】
図５に示すように敷物Ｃの表面には、その用途や使用状態に応じて様々な密度でパイルＰが打ち込まれている。このため、敷物Ｃの表面の密度の高低により、複数のスプレーノズル１５の先端１５ｃを敷物Ｃの内部に食い込ませて薬剤を噴霧したときに、該薬剤の敷物Ｃ内部への行き渡り易さも相違することになる。すなわち敷物Ｃの表面密度が高ければ、該薬剤は敷物Ｃ内部へ行き渡り難く、敷物Ｃの表面密度が低ければ、行き渡り易くなるのである。
【００３５】
この態様の場合、敷物Ｃの表面密度に応じて、敷物Ｃの表面が高密度の場合には、ガイド部２１を複数のスプレーノズル１５に沿って回動支持部２０ｂから離間させることにより、前記複数のスプレーノズル１５の略L字状をなす先端部１５ａ相互の間隔を狭くして、短い間隔で薬剤の噴霧がなされるようにし、敷物Ｃ表面の密度が低い場合は、ガイド部２１を回動支持部２０ｂに接近させることにより、前記複数のスプレーノズル１５の先端部１５ａが放射状に拡がるように、その先端部１５ａ相互の間隔を広くして、長い間隔で薬剤の噴霧がなされるようにするなど、敷物表面の密度に合わせて、薬剤が確実に敷物内部にまで行き渡らせることができるように調整できるようになっている。
【００３６】
押圧部１８は、スプレーノズル１５の先端１５ｃが前記敷物Ｃ内部に食い込むように押圧するものであり、図示の形態では、ガイド部２１の上面に立設した２本のポール２６と、このポールに載せる重し（荷重）２７とからなり、ポール２６に載せる重し（荷重）２７の数を増減させることで、敷物Ｃ表面の密度に応じた荷重を調整できるようになっており、敷物Ｃ表面の密度に応じて荷重調整された荷重が前記ガイド部２１を介して前記複数のスプレーノズル１５の先端部１５ａに付加され、その先端１５ｃが前記敷物Ｃ内部に食い込むように押圧されるようになっている。
【００３７】
前述したように、敷物Ｃの表面にはパイルＰが所望の密度で打ち込まれており、その密度は用途や使用状態に応じて様々に異なっている。複数のスプレーノズル１５の先端１５ｃを敷物Ｃの内部に食い込ませようとする場合においても、敷物Ｃ表面の密度が高い場合は食い込み難く、敷物Ｃ表面の密度が低い場合には食い込み易いことから、敷物Ｃの表面の密度に合わせて複数のスプレーノズル１５の略L字状をなす先端部１５ａを押圧する押圧部１８の荷重を調整することで、複数のスプレーノズル１５の先端１５ｃの食い込み度合を調整することができるのである。
【００３８】
つまり、敷物Ｃの表面の密度に応じて、高密度の場合は、ガイド部２１（複数のスプレーノズル１５の先端１５ｃ）に大きな荷重を付加することで、前記各複数のスプレーノズル１５の先端１５ｃの敷物Ｃ内部への食い込み力を強くし、敷物Ｃ表面の密度が低密度の場合には、ガイド部２１（複数のスプレーノズル１５の先端１５ｃ）に付加する荷重を軽くすることにより、前記各複数のスプレーノズル１５の先端１５ｃの敷物Ｃ内部への食い込み力を弱くするなど、敷物Ｃ表面の密度に合わせて、複数のスプレーノズル１５の先端１５ｃの食い込み度合を調整し、これにより薬剤を確実に敷物内部にまで行き渡らせることができるよう調整することができるのである。
【００３９】
本発明の装置における薬剤噴霧部は、図１〜図５に示すように、ノズル支持部１９が、敷物Ｃの薬剤が噴霧される部分を覆うカバー２８を備える形態を採ることもできる。この場合、カバー２８で敷物Ｃの薬剤が噴霧される部分を覆うことで、薬剤噴霧部から噴霧された薬剤は周囲に飛散する恐れが少なくなり、より効率的に薬剤を敷物Ｃ内部に浸透させ、行き渡らせることができる。
【００４０】
本発明の装置を用いて敷物に噴霧する薬剤としては、撥水剤、抗菌剤、防ダニ、防かびなど特に限定されない。図示の例では、感温点が１０〜４５℃である感温吸排水性ポリマーを含む吸排水性溶媒液と、フタロシアニン化合物を含む抗菌消臭溶媒液とからなるものを用いた。
【００４１】
薬剤を構成する感温点が１０〜４５℃である感温吸排水性ポリマーを含む吸排水性溶媒液と、フタロシアニン化合物を含む抗菌消臭溶媒液とは、それぞれ別々の薬剤タンク１４（１４ａ及び１４ｂ）に収容されており、前記各薬剤タンク１４（１４ａ及び１４ｂ）から前記吸排水性溶媒液及び吸排水性溶媒液が混合状態で複数のフレキシブルチューブ１６を介して複数のスプレーノズル１５へと圧送されるようになっている。
【００４２】
これら吸排水性溶媒液及び抗菌消臭溶媒液を組み合わせた薬剤（以下、薬剤ユニットという）を敷物に噴霧することで、簡単に優れた吸排水性及び抗菌消臭性を敷物に付与することができ、敷物中に含まれる一旦水分を吸水した排水性ポリマーが排水性を発揮するようになるまでの間、細菌の増殖、これに伴う悪臭の発生を効果的に抑制することができるという効果を得ることができる。
【００４３】
吸排水性溶媒液を構成する溶媒成分としては、水、またはメタノール、エタノール、プロピルアルコール、イソプロピルアルコールなどの低級アルコール、或いはこれらの混合物の中から選ばれる少なくとも１種を挙げることができる。中でも、安全性、入手容易性及び価格などの点から、水／エタノール（重量比）＝９５／５〜３０／７０の範囲の配合割合としたエタノール水溶液が好ましい。この混合溶媒成分を使用すると、該薬剤ユニットを敷物に適用した後、短時間で乾燥し、臭気も強くないので、使用時に周辺環境に悪影響を与える恐れもないので好ましい。
【００４４】
この溶媒成分に含まれる吸排水性ポリマーとしては、取り扱い性が良好であり、かつ吸排水性の制御が容易であることから、吸水性に優れると共に一旦吸水した後、温度変化に伴って吸水率が変化して排水する機能を持つ感温吸排水性ポリマーを用いている。また、感温吸排水性ポリマーとしては、感温点が１０〜４５℃の温度領域にあるものであれば何でもよいが、感温点が３５℃のものがさらに好ましい。
【００４５】
感温吸排水性ポリマーの具体例としては、Ｎ−置換（メタ）アクリルアミド及びＮ，Ｎ−置換（メタ）アクリルアミドのうち、少なくとも一方を重合成分として架橋剤存在下で重合してなる重合体であるであることが好ましい。これらのモノマーを用いることにより、温度変化に対して敏感に吸排水を繰り返す樹脂を得ることができる。
【００４６】
Ｎ−置換（メタ）アクリルアミドの具体例としては、Ｎ−エチル（メタ）アクリルアミド、Ｎ−イソプロピル（メタ）アクリルアミド、Ｎ−イソブチル（メタ）アクリルアミド、Ｎ−シクロヘキシル（メタ）アクリルアミド、Ｎ−フェニル（メタ）アクリルアミド、Ｎ−ベンジル（メタ）アクリルアミド、Ｎ−イソプロポキシ（メタ）アクリルアミド等が挙げられる。本発明においては、特にＮ−イソプロピル（メタ）アクリルアミドが好ましい。
【００４７】
Ｎ，Ｎ−置換（メタ）アクリルアミドの具体例としては、Ｎ，Ｎ−ジエチル（メタ）アクリルアミド、Ｎ−エチル−Ｎ−メチル（メタ）アクリルアミド、Ｎ，Ｎ−ジイソプロピル（メタ）アクリルアミド等が挙げられる。本発明においては、特にＮ，Ｎ−ジイソプロピル（メタ）アクリルアミドが好ましい。
【００４８】
吸排水性溶媒液における感温吸排水性ポリマーの含有量としては、特に限定されないが、十分な感温吸排水性と良好な分散性を確保するため、１〜３０重量％が好ましい。
【００４９】
抗菌消臭溶媒液に含まれるフタロシアニン化合物としては、下記化学式２で表されるものであり、式中のＭは、鉄、マンガン、チタン、バナジウム、ニッケル、銅、タングステンから選択される金属である。
【化２】
0005730623.tif 000003
【００５０】
上記フタロシアニン化合物の中でも、銅の錯体を形成したものが、抗菌性、消臭性に優れる点で好ましい。抗菌消臭溶媒液におけるフタロシアニン化合物の含有量としては、特に限定されないが、十分な抗菌消臭性と良好な分散性を確保するため、１〜３０重量％が好ましい。
【００５１】
抗菌消臭溶媒液を構成する溶媒成分としては、上述した吸排水性溶媒液を構成する溶媒成分と同じ、水、またはメタノール、エタノール、プロピルアルコール、イソプロピルアルコールなどの低級アルコール、或いはこれらの混合物の中から選ばれる少なくとも１種を挙げることができる。中でも、安全性、入手容易性及び価格などの点から、水／エタノール（重量比）＝９５／５〜３０／７０の範囲の配合割合としたエタノール水溶液が好ましい。この混合溶媒成分を使用すると、該ユニットを敷物に適用した後、短時間で乾燥し、臭気も強くないので、使用時に周辺環境に悪影響を与える恐れもないので好ましい。
【００５２】
上記吸排水性溶媒液及び抗菌消臭溶媒液中には、それぞれバインダー成分をさらに含むこともできる。この場合、該薬剤ユニットを敷物に噴霧したときに、敷物を構成する繊維表面にバインダー成分を介して感温吸排水性ポリマーやフタロシアニン化合物が付着するので、敷物を使用に際して感温吸排水性ポリマーやフタロシアニン化合物が容易に脱落するのを防止することができ、永く感温吸排水性及び抗菌消臭性を確保できるという利点がある。
【００５３】
バインダー成分としては特に限定されないが、アクリル酸、メタクリル酸、イタコン酸、マレイン酸、フマル酸、クロトン酸、イタコン酸ハーフエステル、マレイン酸ハーフエステル、無水マレイン酸、無水イタコン酸及び２−メタクリロイルプロピオンの中から選ばれる少なくとも１種が好ましい。
【００５４】
上記吸排水性溶媒液及び抗菌消臭溶媒液中に含まれるバインダー成分の含有量としては、特に限定されないが、その含有量が余りに多いと、バインダー成分によって感温吸排水性ポリマーやフタロシアニン化合物が覆われてしまい、十分な感温吸排水性及び抗菌消臭性を得ることができなくなる。一方、バインダー成分の含有量が少ないと、敷物を構成する繊維表面へのバインダー成分を介しての感温吸排水性ポリマーやフタロシアニン化合物の付着力が弱くなる。バインダー成分の含有量としては、１〜３０重量％が好ましい。
【００５５】
尚、薬剤ユニットを構成する吸排水性溶媒液及び抗菌消臭溶媒液中には、色素、増粘剤等を所望により配合してもよく、さらに別の防腐・防黴剤、殺菌剤等を配合することもできる。
【００５６】
また、ユニットを構成する吸排水性溶媒液及び抗菌消臭溶媒液のそれぞれは、本発明の装置を用いて噴霧できるように、エマルジョン、懸濁、エアゾールの形態に調製され得る。
【００５７】
（削除）
【００５８】
（削除）
【００５９】
（削除）
【００６０】
（削除）
【００６１】
（削除）
【００６２】
（削除）
【００６３】
尚、本発明は、上記例に限定されず、例えば上記図示の例では、複数のスプレーノズル１５の先端１５ｃに薬剤の噴霧口が設けているが、薬剤の噴霧口を先端部１５ａの１５ｃ近傍の周面に設けることで、薬剤を敷物Ｃの奥行き方向ではなく、平面方向に噴霧されるようにし、パイル高さが低い敷物に薬剤がより効果的に浸透するようにするなど、特許請求の範囲に記載された事項の範囲で自由に変更して実施することができる。
【符号の説明】
【００６４】
１０、３０・・・装置
１１、３１・・・装置本体
１３、３３・・・ハンドル
１４（１４ａ、１４ｂ）、３４・・・薬剤タンク
１５、３５・・・複数のスプレーノズル
１６、３６・・・フレキシブルチューブ
１７、３７・・・操作レバー
１９、３８・・・ノズル支持部
２８、４０・・・カバー
Ｃ・・・敷物
【図１】
0005730623.tif 000005
【図２】
0005730623.tif 000006
【図３】
0005730623.tif 000007
【図４】
0005730623.tif 000008
【図５】
0005730623.tif 000009